(57)【要約】【課題】管理対象の機器を管理するために登録する設定情報の正誤がより容易に判断できるようにする。【解決手段】設定情報取得部１０１が、ネットワーク１３１に接続されている複数のフィールド機器１５１の設定情報を各々取得し、表示制御部１０２は、設定情報取得部１０１が取得した各設定情報を表示部１０５に表示し、選択受付部１０３は、表示制御部１０２により表示部１０５に表示された設定情報の選択指示を受け付け、登録部１０４は、選択受付部１０３が受け付けた選択指示により選択された設定情報を、記憶部１０７に登録する。【選択図】  図１
2018181239.tif 000002
【特許請求の範囲】
【請求項１】
管理対象の機器に設定されている前記機器を管理するための設定情報を前記機器および自装置が接続しているネットワークを介して取得するように構成された設定情報取得部と、
前記設定情報取得部が取得した設定情報を表示部に表示するように構成された表示制御部と、
前記表示制御部により前記表示部に表示された設定情報のうちいずれかを選択する選択指示を受け付けるように構成された選択受付部と、
前記選択受付部が受け付けた選択指示により選択された設定情報を記憶部に登録するよに構成された登録部と
を備えることを特徴とする表示装置。
【請求項２】
請求項１記載の表示装置において、
前記ネットワークの上の領域を指定する指示を受け付けるように構成された領域受付部を更に備え、
前記設定情報取得部は、前記領域受付部が受け付けた指示によって指定された前記ネットワーク上の領域に接続されている機器の設定情報を取得する
ことを特徴とする表示装置。
【請求項３】
請求項１または２記載の表示装置において、
前記ネットワークに接続されている機器を検出するように構成された機器検出部を更に備え、
前記設定情報取得部は、前記機器検出部が検出した機器の設定情報を取得する
ことを特徴とする表示装置。
【請求項４】
請求項１〜３のいずれか１項に記載の表示装置において、
前記表示制御部が前記表示部に表示している設定情報と前記記憶部に予め記憶されている設定情報とを比較して異なる箇所を検出するように構成された比較部と、
前記比較部が検出した異なる箇所を、前記表示制御部が前記表示部に表示している設定情報の中で他の部分とは異なる状態の表示とするように構成された表示変更部と
を更に備えることを特徴とする表示装置。
【請求項５】
請求項１〜４のいずれか１項に記載の表示装置において、
前記ネットワークに接続されている機器を制御する制御装置に登録されている制御対象の機器を制御するための制御情報を取得するように構成された制御情報取得部と、
前記制御情報取得部が取得した制御情報を、前記表示部に表示するように構成された制御情報表示部と
を更に備えることを特徴とする表示装置。
【発明の詳細な説明】
【技術分野】
【０００１】
本発明は、ネットワークを介して接続されている機器を管理するための情報を表示する表示装置に関する。
【背景技術】
【０００２】
近年、機器・計器、装置・設備の健全性を診断する技術や、診断を支援するためのシステムが提案されている。特許文献１では、機器管理装置と管理対象のフィールド機器とを通信ラインで接続し、フィールド機器の診断情報を定周期で収集する機器管理システムについて開示されている。この技術では、収集された診断情報を機器管理装置の画面上に表示している。
【０００３】
このような制御システムにおいて、機器管理装置とフィールド機器とを接続するネットワークとして、ＨＡＲＴ（Highway Addressable Remote Transducer；登録商標）通信が、広く用いられている。また、自己診断結果をユーザがより理解しやすい表示とすることを目的とした「ＮＡＭＵＲ ＮＥ１０７」勧告がある。
【０００４】
上述したような制御システムおよび機器管理装置におけるエンジニアリング作業においては、各フィールド機器の接続状態や、接続されているフィールド機器の情報（設定情報）を把握することが重要となる。近年では、機器管理装置が、接続されているフィールド機器を自動的に検出し、検出したフィールド機器の設定情報を取得する技術が用いられている。この技術では、検出したフィールド機器より取得した各設定情報を登録し、登録した設定情報により、各フィールド機器を管理している。
【先行技術文献】
【特許文献】
【０００５】
【特許文献１】特開２０１５−０９０５９５号公報
【発明の概要】
【発明が解決しようとする課題】
【０００６】
ところで、設置されているフィールド機器が、全て正しく接続されているとは限らない。このような場合、上述したように、接続されているフィールド機器より取得した設定情報でこのまま登録すると、間違った設定情報で管理することになる。しかしながら、管理対象となるフィールド機器は多数あるため、従来の技術では、フィールド機器より取得して登録した設定情報の正誤を判断することが容易ではないという問題があった。
【０００７】
本発明は、以上のような問題点を解消するためになされたものであり、管理対象の機器を管理するために登録する設定情報の正誤がより容易に判断できるようにすることを目的とする。
【課題を解決するための手段】
【０００８】
本発明に係る表示装置は、管理対象の機器に設定されている機器を管理するための設定情報を機器および自装置が接続しているネットワークを介して取得する設定情報取得部と、設定情報取得部が取得した設定情報を表示部に表示する表示制御部と、表示制御部により表示部に表示された設定情報のうちいずれかを選択する選択指示を受け付ける選択受付部と、選択受付部が受け付けた選択指示により選択された設定情報を記憶部に登録する登録部とを備える。
【０００９】
上記表示装置において、ネットワークの上の領域を指定する指示を受け付けるように構成された領域受付部を更に備え、設定情報取得部は、領域受付部が受け付けた指示によって指定されたネットワーク上の領域に接続されている機器の設定情報を取得するようにしてもよい。
【００１０】
上記表示装置において、ネットワークに接続されている機器を検出するように構成された機器検出部を更に備え、設定情報取得部は、機器検出部が検出した機器の設定情報を取得するようにしてもよい。
【００１１】
上記表示装置において、表示制御部が表示部に表示している設定情報と記憶部に予め記憶されている設定情報とを比較して異なる箇所を検出するように構成された比較部と、比較部が検出した異なる箇所を、表示制御部が表示部に表示している設定情報の中で他の部分とは異なる状態の表示とするように構成された表示変更部とを更に備えるようにしてもよい。
【００１２】
上記表示装置において、ネットワークに接続されている機器を制御する制御装置に登録されている制御対象の機器を制御するための制御情報を取得するように構成された制御情報取得部と、制御情報取得部が取得した制御情報を、表示部に表示するように構成された制御情報表示部とを備えるようにしてもよい。
【発明の効果】
【００１３】
以上説明したことにより、本発明によれば、管理対象の機器を管理するための設定情報の正誤がより容易に判断できるという優れた効果が得られる。
【図面の簡単な説明】
【００１４】
【図１】図１は、本発明の実施の形態１における表示装置１００の構成を示す構成図である。
【図２】図２は、本発明の実施の形態２における表示装置１００の構成を示す構成図である。
【図３】図３は、本発明の実施の形態３における表示装置の構成を示す構成図である。
【図４】図４は、本発明の実施の形態４における表示装置の構成を示す構成図である。
【図５】図５は、本発明における表示装置のハードウエア構成を示す構成図である。
【発明を実施するための形態】
【００１５】
以下、本発明の実施の形態について図を参照して説明する。
【００１６】
［実施の形態１］
はじめに、本発明の実施の形態１における表示装置１００について、図１を用いて説明する。表示装置１００は、設定情報取得部１０１、表示制御部１０２、選択受付部１０３、登録部１０４、表示部１０５、入力部１０６、記憶部１０７を備える。表示装置１００は、よく知られた機器管理装置における各種情報を表示するための装置である。
【００１７】
設定情報取得部１０１は、ネットワーク１３１を介し、管理対象のフィールド機器１５１より設定情報を取得する。設定情報は、フィールド機器１５１を上述した機器管理装置で管理するための情報である。設定情報は、例えば、接続位置（ネットワーク上のアドレス）、機器の製造元の情報、機器のモデル、機器のリビジョン、通信プロトコルのバージョン、機器を識別するためのタグ、機器を識別するためのロングタグ、機器における入出力のタイプ（ＡＩ／ＡＯ）、計測の上限値や下限値などの範囲である。また、ネットワーク１３１は、フィールド機器１５１および自装置が接続している。
【００１８】
表示制御部１０２は、設定情報取得部１０１が取得した設定情報を表示部１０５に表示する。表示部１０５には、複数のフィールド機器の設定情報が、一覧表示される。
【００１９】
選択受付部１０３は、表示制御部１０２により表示部１０５に表示された設定情報のうちいずれかを選択する選択指示を受け付ける。選択指示は、表示装置を操作する管理者による入力部１０６の入力操作により受け付けられる。登録部１０４は、選択受付部１０３が受け付けた選択指示により選択された設定情報を記憶部１０７に登録する。
【００２０】
上述した実施の形態１によれば、設定情報取得部１０１が取得した設定情報の中で、選択受付部１０３で選択指示を受け付けたものを記憶部１０７に登録するので、例えば、管理者により確認された設定情報が登録されるようになる。一般に、管理者は、機器管理対象のフィールド機器の構成を把握しており、管理者により取捨選択された設定情報が登録されるので、登録された設定情報は、正しいものであることが容易に判断できる。
【００２１】
［実施の形態２］
次に、本発明の実施の形態２における表示装置１００について、図２を用いて説明する。この表示装置１００は、設定情報取得部１０１、表示制御部１０２、選択受付部１０３、登録部１０４、表示部１０５、入力部１０６、記憶部１０７を備える。これらの構成は、上述した実施の形態１と同様である。
【００２２】
実施の形態２では、更に、領域受付部１０８および機器検出部１０９を備える。領域受付部１０８は、ネットワーク１３１上の領域を指定する指示を受け付ける。設定情報取得部１０１は、領域受付部１０８が受け付けた指示によって指定されたネットワーク１３１上の領域に接続されているフィールド機器１５１の設定情報を取得する。
【００２３】
また、機器検出部１０９は、ネットワーク１３１に接続されているフィールド機器１５１を検出する。設定情報取得部１０１は、機器検出部１０９が検出したフィールド機器１５１の設定情報を取得する。
【００２４】
例えば、複数のフィールド機器１５１ａ，１５１ｂは、Ｉ／Ｏモジュール１５２を介してネットワーク１３１に接続している。また、図示していないが、ネットワーク１３１には、複数のＩ／Ｏモジュールが接続し、各Ｉ／Ｏモジュールに、複数のフィールド機器が接続している。
【００２５】
ネットワーク１３１は、例えば、ＨＡＲＴ（Highway Addressable Remote Transducer；登録商標）通信によるネットワークシステムから構成されている。このシステムでは、ネットワーク１３１に直接接続するＩ／Ｏモジュール１５２をＩＰアドレスで識別する。また、Ｉ／Ｏモジュール１５２に接続しているフィールド機器１５１ａ，１５１ｂは、チャンネルによって識別している。例えば、フィールド機器１５１ａは、特定のＩＰアドレスで識別されるＩ／Ｏモジュール１５２に、第１チャンネルで識別されて接続している。このような接続情報を、機器検出部１０９が検出する。また、機器検出部１０９は、通信機能が開始されていないフィールド機器に対して通信開始の要求を通知し、当該フィールド機器における通信機能を開始させる。
【００２６】
上述した構成において、領域受付部１０８は、いずれかのＩ／Ｏモジュールの選択指示を受け付ける。Ｉ／Ｏモジュールを選択することで、接続されているフィールド機器のネットワーク１３１上の領域が指定されたことになる。
【００２７】
上述した実施の形態２によれば、前述した実施の形態１と同様に、登録された設定情報は、正しいものであることが容易に判断できる。また、実施の形態２によれば、任意の領域を指定できるので、確認する範囲を限定することが要であり、より容易に正誤の判断ができるようになる。
【００２８】
［実施の形態３］
次に、本発明の実施の形態３における表示装置について、図３を用いて説明する。この表示装置は、設定情報取得部１０１、表示制御部１０２、選択受付部１０３、登録部１０４、表示部１０５、入力部１０６、記憶部１０７、領域受付部１０８、機器検出部１０９を備える。これらの構成は、上述した実施の形態２と同様である。
【００２９】
実施の形態３では、更に、比較部１１０および表示変更部１１１を備える。なお、実施の形態３においても、表示装置は、ネットワークに接続し、ネットワークには複数のＩ／Ｏモジュールが接続し、各Ｉ／Ｏモジュールには、複数のフィールド機器が接続しているが、図３ではこれらを省略している。
【００３０】
比較部１１０は、表示制御部１０２が表示部１０５に表示している設定情報と、記憶部１０７に予め登録されている設定情報とを比較して異なる箇所を検出する。表示変更部１１１は、比較部１１０が検出した異なる箇所を、表示制御部１０２が表示部１０５に表示している設定情報の中で他の部分とは異なる状態の表示にする。
【００３１】
例えば、表示変更部１１１は、表示部１０５に表示されている複数のフィールド機器の設定情報の一覧において、「ステータス」などの表示項目を設けて表示する。この表示項目において、表示変更部１１１は、変更されていることを示す「変更あり」、追加されていることを示す「追加」、削除されていることを示す「削除」、一致していることを示す「変更無し」を表示する。
【００３２】
表示変更部１１１の制御により、以下に例示する表示の変更かなされる。比較部１１０の比較の結果、表示部１０５に表示されている設定情報が、記憶部１０７に登録されているが、両者違いがあることが検出されると、「ステータス」の項目に「変更あり」が表示される。また、比較部１１０の比較の結果、表示部１０５に表示されている設定情報が記憶部１０７に登録されていないことが検出されると、「ステータス」の項目に「追加」が表示される。
【００３３】
また、比較部１１０の比較の結果、記憶部１０７に登録されている設定情報が、表示部１０５に表示されている設定情報の一覧にはないことが検出されると、設定情報の一覧に登録されている設定情報が表示され、この「ステータス」の項目に「削除」が表示される。また、比較部１１０の比較の結果、表示部１０５に表示されている設定情報が記憶部１０７に登録されており、両者が一致することが検出されると。「ステータス」の項目に「変更無し」が表示される。
【００３４】
また、「変更あり」、「追加」、「削除」などの表示においては、表示色を他の表示とは変える、表示に飾りを付けるなどの変更を実施するようにしてもよい。
【００３５】
上述した実施の形態３によれば、前述した実施の形態２と同様に、登録されている設定情報は、正しいものであることが容易に判断できる。また、実施の形態３によれば、既に（予め）登録されている設定情報との比較により、変更などがある箇所が他の表示とは異なる状態となるので、より容易に正誤の判断ができるようになる。
【００３６】
［実施の形態４］
次に、本発明の実施の形態４における表示装置１００について、図４を用いて説明する。この表示装置は、設定情報取得部１０１、表示制御部１０２、選択受付部１０３、登録部１０４、表示部１０５、入力部１０６、記憶部１０７、領域受付部１０８、機器検出部１０９、比較部１１０、表示変更部１１１を備える。これらの構成は、上述した実施の形態３と同様である。
【００３７】
実施の形態３では、更に、制御情報取得部１１２および制御情報表示部１１３を備える。なお、実施の形態４においても、表示装置は、ネットワークに接続し、ネットワークには複数のＩ／Ｏモジュールが接続し、各Ｉ／Ｏモジュールには、複数のフィールド機器が接続しているが、図４ではこれらを省略している。
【００３８】
制御情報取得部１１２は、ネットワークに接続されているフィールド機器を制御する制御装置（不図示）に登録されている制御対象のフィールド機器を制御するための制御情報を取得する。制御情報表示部１１３は、制御情報取得部１１２が取得した制御情報を、表示部１０５に表示する。
【００３９】
制御装置における制御情報には、フィールド機器を識別するための情報が含まれている。この制御情報におけるフィールド機器の識別情報は、設定情報における機器識別とは書式が異なるが、一般に似通った記述形式となる。このため、例えば、管理者であれば、制御情報における識別情報と、設定情報における機器識別とが、同一のフィールド機器を示すものであるなどの判別が可能である。従って、このような知識を有する管理者であれば、制御情報と設定情報との比較により、取得した設定情報の正誤が判断できる。
【００４０】
なお、上述した実施の形態における表示装置は、図５に示すように、ＣＰＵ（Central Processing Unit；中央演算処理装置）３０１と主記憶装置３０２と外部記憶装置３０３とネットワーク接続装置３０４となどを備えたコンピュータ機器であり、主記憶装置に展開されたプログラムによりＣＰＵが動作することで、上述した各機能が実現される。ネットワーク接続装置３０４は、ネットワーク３０５に接続する。また、各機能は、複数のコンピュータ機器に分散させるようにしてもよい。
【００４１】
また、上述した実施の形態においては、設定情報取得部１０１は単にフィールド機器１５１から設定情報を取得するものとして説明したが、設定情報取得部１０１はフィールド機器１５１に加えて、機器管理装置１００の内部に設けたデータベースから、あるいは機器管理装置１００の外部に設けられたデータベースからネットワーク１３１を介して設定情報を取得するものであっても良い。
【００４２】
具体例としては、設定情報取得取得部１０１がフィールド機器１５１から設定情報を取得した際、当該設定情報に含まれるフィールド機器１５１の機器種別を特定する情報（例えば製造者名、型番、バージョン情報など）により、前述したデータベースのうち、当該特定の情報に紐づいた設定情報を取得するようにしても良い。このとき、例えば必要な設定情報のうち不足しているもののみをデータベースから取得するようにしても良いし、フィールド機器１５１から取得できる設定情報と、データベースから取得できる設定情報とを選択可能に表示部１０５に表示するようにしても良い。
【００４３】
以上に説明したように、本発明によれば、取得した機器の設定情報を表示し、表示している設定情報の中より選択指示を受け付けたものを登録するようにしたので、管理対象の機器を管理するために登録する設定情報の正誤がより容易に判断できるようになる。
【００４４】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００４５】
１００…表示装置、１０１…設定情報取得部、１０２…表示制御部、１０３…選択受付部、１０４…登録部、１０５…表示部、１０６…入力部、１０７…記憶部、１３１…ネットワーク、１５１…フィールド機器。
【図１】
2018181239.tif 000003
【図２】
2018181239.tif 000004
【図３】
2018181239.tif 000005
【図４】
2018181239.tif 000006
【図５】
2018181239.tif 000007